(57)【要約】      （修正有）【課題】床面と天井面との間に面材を固定する際に、より安定的に面材を固定することができる固定装置及びその取付構造を提供する。【解決手段】面材を床面と天井面との間に固定することのできる面材の固定装置P1であって、面材の下端部に取付けられる取付部2と、床面に当接される基部とを備え、前記取付部2に設けられた可動部材52を移動手段によって長さ方向に移動させることにより、可動部材52の側壁に貫通して設けられた斜め長孔53に挿通され且つその端部が基部に係止された係止ピン31を介して、取付部2が基部に対して上下動されるように構成されるようにする。【選択図】図５
2007198073.tif 000002
【特許請求の範囲】
【請求項１】
面材を床面と天井面との間に固定することのできる面材の固定装置であって、面材の下端部に取付けられる取付部と、床面に当接される基部とを備え、前記取付部に設けられた可動部材を移動手段によって長さ方向に移動させることにより、可動部材の側壁に貫通して設けられた斜め長孔に挿通され且つその端部が基部に係止された係止ピンを介して、取付部が基部に対して上下動されるようになされたことを特徴とする面材の固定装置。
【請求項２】
前記移動手段は、表面に雄ねじ部が形成された軸棒と、可動部材に貫通され、前記雄ねじ部に螺合される雌ねじ孔とを備え、軸棒を回動させることにより、取付部に回動を阻止された可動部材を軸棒の長さ方向に移動させるものであることを特徴とする請求項１に記載の面材の固定装置。
【請求項３】
固定装置の基部は、基部本体と、その基部本体の下方に設けられて床面と当接される当接台とを備え、当接台はばね材によって基部本体と接続されていることを特徴とする請求項１又は２に記載の面材の固定装置。
【請求項４】
家具を支持することのできる家具用支持具が係合自在となされた家具用支持具係合部材が面材に設けられ、この面材を、請求項１〜３のいずれか１項に記載の面材の固定装置により、床面と天井面との間に固定したことを特徴とする面材の取付構造。
【発明の詳細な説明】
【技術分野】
【０００１】
本発明は、床面と天井面との間に面材を取付けるための面材の固定装置及び面材の取付構造に関するものであり、特に、壁面等の支持体がない場所において、面材を床面と天井面との間に固定して面材に家具等を取付けるための壁面を形成されるための面材に関するものである。
【背景技術】
【０００２】
従来、テレビ等のディスプレイ装置は、専用台に載置するかキャビネット内に収納されていることが多かった。しかしながら近年プラズマディスプレイや液晶ディスプレイ等の大型かつ薄型のディスプレイが普及し、その設置方法は、前記の設置方法ばかりでなく、これらディスプレイが薄型である特徴を生かして、居間や食堂等の部屋の壁面にも取付けられるようになっている。
【０００３】
上記の薄型テレビのようなものを壁面に取付けるには、それを支える支持具を壁面に取付ける必要がある。しかしながら、マンションや賃貸住宅等の建築物においては、壁面は共用物として取り扱われるため、孔を開けるようなことは規制されている場合があり、又、壁面が孔加工困難なコンクリート壁である場合や、支持具の取付けが強度的に困難である装飾を主とした壁装材である場合もあり、マンションや賃貸住宅等では、薄型テレビのようなものを壁面に取付けることは困難な場合が多く、壁面の利用が大きく制限されている。
【０００４】
そこで、天井面と床面との間に、間仕切り壁を取付ける方法が提案されている。例えば、間仕切り壁の上部または下部に固定装置を取付けて、パネルを床面と天井面との間に固定させる方法が提案されている（例えば、特許文献１参照。）。
【０００５】
この固定装置は、下面に押圧用の斜面を有する押圧部材が設けられた押圧台と、前記押圧部材の斜面に当接摺動する斜面を上面に有し、摺動により両斜面間の当接位置を変化させて押圧台を上下動せしめる押圧部材を上面に設けた摺動台と、摺動台に螺合したボルトの回動により摺動台を押圧台の上下動方向と直角方向に駆動させる手段を有したブラケットと、前記押圧台の上に圧接用ばねを介して載置状態に保持されている上枠とからなることを特徴とするものであり、この固定装置を壁材の上端部に取付け、ボルトの回動により押圧台を押し上げて、上枠の上面を天井面に圧接させ、壁材を固定させるものである。これによって、ボルト止め等の特別な加工が施されなくても床面と天井面との間に間仕切壁を固定させることができる。
【特許文献１】特公昭５９−３１６１４号公報
【０００６】
しかしながら、前記の固定装置には次のような問題点があった。すなわち、摺動台を駆動させるブラケットの位置には押圧部材を設置できないため、壁材を固定する際に発生する押圧力が押圧部材には偏って発生しやすく、又、摺動台が壁材の上端面を摺動するため、前記の偏って発生した押圧力が、壁材に対して更に偏って加わることになり、特に長期間設置される場合には、壁材の取付状態が不安定になるおそれがあった。
【発明の開示】
【発明が解決しようとする課題】
【０００７】
本発明は、前記の如き問題点を解消し、床面と天井面との間に面材を固定する際に、より安定的に面材を固定することができる固定装置及びその取付構造を提供せんとするものである。
【課題を解決するための手段】
【０００８】
上記目的を達成するために、本発明は次のような構成としている。すなわち本発明に係る面材の固定装置は、面材を床面と天井面との間に固定することのできる面材の固定装置であって、面材の下端部に取付けられる取付部と、床面に当接される基部とを備え、前記取付部に設けられた可動部材を移動手段によって長さ方向に移動させることにより、可動部材の側壁に貫通して設けられた斜め長孔に挿通され且つその端部が基部に係止された係止ピンを介して、取付部が基部に対して上下動されるようになされたことを特徴とするものである。
【０００９】
又、本発明に係る面材の取付構造は、家具を支持することのできる家具用支持具が係合自在となされた家具用支持具係合部材が面材に設けられ、この面材を、請求項１〜３のいずれか１項に記載の面材の固定装置により、床面と天井面との間に固定したことを特徴とするものである。
【発明の効果】
【００１０】
本発明によれば、本発明に係る固定装置を面材の下端部に取付けられた際、前記移動手段により可動部材を長さ方向に移動させると、可動部材の側壁に貫通して設けられた斜め長孔に挿通され且つその端部が基部に係止された係止ピンによって、基部に対して可動部材が押し上げられ、あるいは押し下げられ、可動部材が取付けられた取付部は可動部材を介して基部に対して上下動されることになる。これによって、取付部が取付けられた面材を上方向に移動させ、面材の上部を天井面に当接させて、上下方向に生じる押圧力を利用して、面材を床面と天井面との間に固定することができる。この際、基部は床面に対して不動になされるため、発生した押圧力が一方に偏って発生しにくくなり、面材をより安定的に固定することができる。
【００１１】
又、本発明によれば、家具を支持することのできる家具用支持具が係合自在となされた家具用支持具係合部材が設けられた面材を、天井面と床面との間に取付けることによって、屋内の既存の壁面に直接取付けることができない家具を取付けることができるようになり有用である。
【００１２】
本発明に係る面材の固定装置において、移動手段は、表面に雄ねじ部が形成された軸棒と、可動部材に貫通され、前記雄ねじ部に螺合される雌ねじ孔とを備え、軸棒を回動させることにより、取付部に回動を阻止された可動部材を軸棒の長さ方向に移動させるようになされれば、軸棒の回動させることによって、可動部材が長さ方向に移動するので、これによって面材が上方向に移動可能となり、固定作業が容易となる。又、取付作業時に生じた押圧力は、昇降部材を介して軸棒にもかかるので、面材の固定後は、昇降部材に対して軸棒が回動し難くなり、軸棒が不必要に回転して、押圧力が低下するような不具合は生じにくくなる。
【００１３】
又、本発明に係る面材の固定装置において、固定装置の基部は、基部本体と、その基部本体の下方に設けられて床面と当接される当接台とを備え、当接台はばね材によって基部本体と接続されるようになされれば、固定装置により、面材の上部を天井面に当接させ、更に上昇させると、まず、ばね材が収縮し、その収縮に応じた押圧力が生じるため、面材を床面と天井面との間により強固に取付けることができ、又、その操作時は天井面に対して押圧力が徐々に生じることになり、極端に大きな押圧力が生じて、天井面等を破損する恐れが少なくなる。
【発明を実施するための最良の形態】
【００１４】
次に、本発明を実施するための最良の形態について図面を参照し、具体的に説明する。
【００１５】
すなわち、図１は面材の実施の一形態を示す斜視図、図２は図１の枠材の斜視図、図３は図１の部分断面図、図４は本発明に係る固定装置の一形態を示す分解斜視図、図５は図４の断面図、図６は図４の主要部の断面図、図７は本発明に係る面材の取付構造の実施の一形態を示す断面図、図８は図７の支持台の別の形態を示す部分斜視図、図９は本発明に係る面材の取付構造の実施の別の形態を示す一部断面側面図である。
【００１６】
図面において、１は面材、２は面材１の下端部に取付けられる取付部、３は床面Ｆに当接される基部、本形態に係る面材の固定装置Ｐ１は、取付部２、及び基部３から主に構成され、又、本形態に係る面材の取付構造Ｐ２は、面材１、及び固定装置Ｐ１から主に構成され、床面Ｆと天井面Ｃとの間に固定されるものである。
【００１７】
まず、面材１は、図１及び図２に示されるように、矩形の枠体１１と、この枠材１１に取付けられるパネル材１２とからなり、枠体１１は、２個の横桟１３と２個の縦桟１４がそれぞれ接続されて矩形に形成されると共に、相対向する横桟１３との間に支持桟１５が取付けられ、相対向する縦桟１４の間に係止部材１６が上下方向に複数個並んで取付けられてなる。この構造によって、枠体１１は変形しにくいようになされている。
【００１８】
枠材１１の材質は、一般的にはアルミニウムや合成樹脂を押出成型して得られる長尺の型材を適宜長さに切断した部材からなるものであるが、アルミニウム以外の金属、または金属や無機材料と合成樹脂との複合材料等、枠材１１の長さや必要な強度に応じて、適宜使用できる。
【００１９】
パネル材１２は、剛性を保持するための板材に表面装飾等が施されたものであって、板材は、一般には、アルミニウム、ステンレス鋼等の金属板、ポリエチレン、ポリプロピレン等の合成樹脂板、木材や主に木材片からなる集積材、或いはこれら金属板、樹脂板等を組み合わせたものから形成されたものである。又表面装飾するには、板材に塗装を施してもよいし、フィルムやシートを貼着させてもよいが、板材をそのまま使用してもよい。
【００２０】
図３はパネル材１２の取付状態を示したものであり、パネル材１２の裏面には、上下端部に取付部材１７が取付けられ、取付部材１７に設けられた係合部１８が枠体１１の並設された２個の係止部材１６の係止部１９にそれぞれ係合され、パネル材１２は係止部材１６を介して、枠材１１に取付けられている。
【００２１】
枠材１１の係止部材１６は、横方向に形成された目地溝２０と目地溝２０を介して対峙する係止部１８がそれぞれ横方向に形成されている。これによって、並設された係止部材１６にパネル材１２を上下方向に複数個取付けることができる。
【００２２】
続いて、固定装置Ｐ１は、図４〜６に示されるように、床面Ｆと面材１との間に取付けられるものであり、床面Ｆに当接された当接台２１と、当接台２１とばね材２２を介して接続された基部本体２３と、基部３に対して上下動可能に取付けられ、かつ面材１の下端部に取付けられた取付部２とからなる。尚、本形態ではばね材２２はコイルばねが用いられている。
【００２３】
当接台２１及び基部本体２３は、何れも上面が開口された断面コ字状にそれぞれ形成され、当接台２１の内部に基部本体２３が位置するよう取付けられている。当接台２１の内幅と基部本体２３の外幅は略同幅になされると共に、当接台２１の両端部には、両内壁面及び底面に係止孔２４が形成され、この係止孔２４と係合する係合突起２５を有するキャップ材２６が取付けられている。これによって、基部本体２３は、当接台２１に対する幅方向への位置ずれが防止されると共に、当接台２１への取付位置が規制される。又、当接台２１の端部から内部が見えないようになされる。
【００２４】
更に、基部本体２３の底部には底孔２７が設けられ、底孔２７の上方には、下向きに開口した断面コ字状の受け具２８が設けられ、この受け具２８の両外壁面は基部本体２３の内壁面にビス止めされている。この底孔２７にばね材２２が挿通され、一端は受け具２８の上辺に係止されると共に、他端は当接台２１の底部に係止されている。そして、ばね材２２の端部が取付けられた受け部２８の上辺と、当接台２１の底部にはばね材２２の内径と略同径に形成された円形の止め具３１がそれぞれビス止めされている。これによって、ばね材２２が横方向に位置ずれしにくくなる。このばね材２２を介して、基部本体２３は当接台２１に対して上下方向に移動可能に取付けられた状態となる。
【００２５】
ばね材２２を当接台２１の底部と基部本体２３の底部との間に直接取付けた場合に比べると、本形態は、当接台２１と基部本体２３との底部間の間隔を狭くすることができるので、固定装置Ｐ１のコンパクト化が図られて好ましい。又、ばね材２２としてＶ字状の板ばねや弾性材を当接台２１の底部と基部本体２３の底部との間に取付けても同様な効果が得られるが、持続的に弾性力を発現する点で本形態のコイルばねを用いることがより好ましい。
【００２６】
そして、基部本体２３には、相対向する側壁面間に係止ピン３１が渡され、係止ピン３１の両端部は、両側壁に相対向して形成された係止ピン３１と同径の丸孔３２に挿通され係止されると共に、当接台２１の両側壁に相対向して形成された長丸孔３３に挿通され、更に、この長丸孔３３は係止ピン３１と同径で上下方向に延設された長丸状に形成されている。この構造によって、係止ピン３１の可動範囲は長丸孔３３に規制されるので、係止ピン３１を係止した基部本体２３は、係止ピン３１の可動する長丸孔３３の長さ範囲で上下動可能となされる。
【００２７】
又、基部本体２３の底部が当接台２１の底部に当接した時に、係止ピン３１が長丸孔３３の最下部に位置するようになされている。これによって、係止ピン３１の位置によって、基部本体２３がばね材２２の弾性力で支られているかどうか分かり、係止ピン３１が最下部に位置したときは、基部本体２３の上方からの荷重がばね材２２の弾性力を超えている状態であることが認識できる。
【００２８】
続いて、取付部２は、下方に開口した断面コ字状に形成され、この両端部にはカバー材４１がそれぞれビス止めされて取付けられ、取付部２が基部３の上部を覆って取付けられている。取付部２の内空間と基部３の外型はほぼ同型に形成されている。これによって、基部３に対して取付部２が横方向に不必要に移動しないようになされている。
【００２９】
又、取付部２の側壁部には、開口端から上方に向かってスリット４２が形成され、係止ピン３１の両端部にはスリット４２と同幅の受け部４３が突出して、スリット４２に係止され、かつ、スリット４１の横幅は係止ピンの外径より狭くなされている。これによって、基部３に対して、取付部２は係止ピン３１に沿って上下方向のみ移動するようになされると共に、係止ピン３１は長さ方向に抜け出しにくくなる。
【００３０】
取付部２のカバー材４２の内壁面には、相対向して円形の軸孔４４がそれぞれ形成され、この軸孔４４には、軸孔４４と同形状の回転具４５が取付けられている。又、この２個の回転具４５の間には雄ねじ部４６が形成された軸棒４７が渡され、軸棒４６の両端部が回転具４５に螺合されると共に、回転具４５の側壁面から軸棒４７がビス止めされている。更に、一方の軸孔４４はカバー材の外壁面まで貫通されると共に、外壁面側が小径になされ、この軸孔４４に取付けられた回転具４５の端部には、ドライバーやレンチ等の工具が取付けられる操作孔４８が形成されている。この構造によって、軸棒４７は軸孔４４によって支持され、かつ長さ方向には抜け出しにくくなり、又、工具を操作孔４８に差し込んで回転具４５を回転させると、軸棒４７はその位置で軸方向に回転させることができる。
【００３１】
本形態において、取付部２の回転具４５の操作孔４８は、一方にしか取付けられていないが、両側から操作できるように、２個の回転具４５にそれぞれ操作孔４８を設け、両側から回転具４５の操作ができるようになされてもよい。
【００３２】
取付部２の軸棒４７には、雄ねじ部４６に貫通螺合された雌ねじ部５１を有する矩形の可動部材５２が取付けられている。可動部材５２の上部は取付部２の上辺に当接され、かつ取付部２の内幅と同幅になされている。これによって、回転具４５の操作によって軸棒４７を回転させると、可動部材５２は、取付部２によって回動が阻止されているため、可動部材５２を軸棒４７の長さ方向に移動させることができる。
【００３３】
又、可動部材５２の下部には、両側壁に貫通した斜め長孔５３が設けられ、この斜め長孔５３に基部本体２３に係止された係止ピン３１が通され、更に、斜め長孔５３は、係止ピン３１と略同径の孔を斜めに延設された形態を有している。この構造によって、取付部２の軸棒４７を回転具４５の操作によって回転されると、可動部材５２は軸棒４７の長さ方向に移動するが、この際、可動部材５２の下部に通された係止ピン３１は斜め長孔５３に沿って移動しながら、斜め長孔５３の内壁面を押し上げ、又は押し下げようとする。係止ピン３１は基部本体２３に係止されているため、基部本体２３が係止ピン３１を介して、斜め長孔５３を有する可動部材５２を押し上げ、又は押し下げることになり、可動部材５２が取付けられた取付部２も可動部材５２を介して、押し上げ、又は押し下げられる。つまり、取付部２の軸棒４７を回転具４５の操作によって、図５（ａ）に示されるように、基部本体２３に対して取付部２が下方向に移動した状態、及び、図５（ｂ）に示されるように、基部本体２３に対して取付部２が上方向に移動した状態を可変的に取ることができる。
【００３４】
本形態において、取付部２、当接台２１、基部本体、受け具２８、係止ピン３２、及び軸棒４０には鋼材が用いられているが、これに限定されるものではなく、ステンレス合金や、アルミニウム合金等の他の金属でもよく、必要とされる強度や耐久性によって適宜選択することができる。
【００３５】
又、本形態において、キャップ材２６、及びカバー材４１には、他の材料との摩擦が比較的起こりにくい、ポリプロピレン、シリコン樹脂、ポリエーテル等が用いられているが、これに限定されるものではなく、必要に応じて適宜選択することができる。
【００３６】
更に、本形態において、取付部２には、可動部材５２は２個取付けられているが、必要に応じて、１個取付けられてもよく、３個以上取付けられてもよい。尚、この際は、係止ピン３１等も可動部材５２の数に合わせて取付けることができる。
【００３７】
本発明に係る面材の固定装置Ｐ１は以上であるが、次に図７に示す形態は、図５に示される固定装置Ｐ１が取付けられた面材１の取付構造Ｐ２を示したものである。本形態に係る取付構造Ｐ２は、面材１の下端部に固定装置Ｐ１及び下部支持台６０が取付けられ、上端部に上部支持台６１が取付けられたものである。
【００３８】
まず、本形態に係る取付構造Ｐ２の構成について説明すると、床面Ｆには、下部にシート材６２が取付けられた下部支持台６０が載置され、下部支持台６０は上方向に開口して、下端部に固定装置Ｐ１が取付けられた面材１が挿入される挿入部６３を有し、挿入部６３の端部は開口部６４が設けられている。この構造により、この面材１を下部支持台６０の挿入部６３に挿入して取付ける際、固定装置Ｐ１を外部から隠蔽し、面材１が安定的に立設されるようになされると共に、挿入部６３の端部の開口部６４から固定装置Ｐ１の取付部２の回転具４５を操作することができる。又、下部支持台６０の下部は面材１と垂直方向に延設されており、これによって、面材１をより安定的に立設させることができる。本形態では、シート材６１はフェルト布の不織布を用いており、長期間床面に接触していても癒着しにくいため好ましい。
【００３９】
図８に示された形態は、下部支持台６０の他の形態を示すものであり、下部支持台６０にステージ台６５が取付けられ、下部支持台６０の側方に延設されたリブ材６６でステージ台を支えるものである。これによって、ステージ台６５上に家具やアクセサリー等を載置して、意匠性を高めることができる。
【００４０】
面材１の上部には、面材１の上部が挿入される挿入部６７が形成された上部支持台６１が取付けられ、上部支持台６１の上部には天井面Ｃと当接されるシート材６２が取付けられている。又、下部支持台６０と同様に上部支持台６１の上部は、面材１と垂直方向に延設されており、これによって、上部支持台６１を天井面Ｃに当接させて、面材１を固定する際、面材１をより安定的に支持することができるので好ましい。
【００４１】
又、面材１の両側面には、断面コ字状に成形されたカバー桟７１は、面材１の枠材１１の縦枠材１４に、カバー桟７１に形成された係合片７２と縦枠材１４に形成された係止溝７３とが係合されて、面材１の両側端部を覆って取付けられている。これによって、面材１の側端部が隠蔽されて意匠性を高めることができる。意匠性を更に高めるために、カバー桟７１の表面に塗装を施したり、化粧フィルムを貼着したりしてもよい。
【００４２】
次に、本形態に係る面材の取付構造Ｐ２に関して、面材１を床面Ｆと天井面Ｃとの間に固定する手順を説明する。まず、面材１に固定装置Ｐ１、下部支持台６０、及び上部支持台６１を取付けて、床面Ｆに立設させる。この際、取付装置Ｐ１の基部３の当接台２１は下部支持台６０を介して床面Ｆに当接されることになる。尚、本形態では、面材１に固定装置Ｐ１は、面材１に２個取付けられているが、面材１の幅や面材１の取付条件に応じて１個でもよいし、固定装置の長さを適宜変更してもよい。
【００４３】
続いて、下部支持台６０の開口部６４から、図５に示される固定装置Ｐ１の取付部２の回転具４５を操作して、基部本体２３に対して取付部２を上方向に移動させるようにする。この操作によって、取付部２が取付けられた面材１が上方に押し上げられ、上部支持具６１が天井面と当接され、面材１が固定される。面材１をより強固に固定するためには、更に回転具４５を操作すればよい。そうなされれば、上部支持具６１が天井面と当接され、面材１は上方向には移動できないないため、固定装置Ｐ１の基部本体２３が底部のばね材２２の弾性力に抗して下方に移動し、ばね材２２が収縮する。このばね材２２の収縮に応じた押圧力が上部支持台６１を介して天井面Ｐを押圧することになりより、面材１がより強固に固定される。又、この操作時は、天井面Ｃには押圧力が徐々にかかることになり、天井面Ｃには過剰な押圧力、あるいは急激な押圧力が生じにくく、天井面Ｃの破損等の不具合が起こりにくくなる。
【００４４】
又、面材１を床面Ｆと天井面Ｃとの間に固定した後、地震等により縦方向に過剰な揺れが加わっても、固定装置Ｐ１の基部３のばね材２２によって、上下方向の揺れをある程度吸収することができるので、面材１が倒れにくくなる。
【００４５】
本形態において、固定部材Ｐ１は面材１の下端部のみに取付けられているが、上端部に取付けてもよく、下端部及び上端部の双方に取付けてもよい。尚、面材１の上端部に取付ける際は、取付部２を面材１の上端部に取付け、基部３が天井面Ｃ側に配置されるように取付ければよい。
【００４６】
図９に示された形態は、面材１の係止部材１６を利用して、家具用支持具係合部材を介して壁面に家具を取付けたものである。この形態について、更に詳しく説明すると、家具としてはディスプレイＤが用いられ、家具用支持具係合部材としてはディスプレイＤ要の取付具８１が用いられたものである。
【００４７】
ディスプレイＤの裏面には矩形の取付具８１が固定されると共に、取付具８１の面材側には係合片８２が取付けられ、この係合片８２が、面材１の係止部材１６の目地溝２１に係合され取付けられている。本形態では、係止部材１６の目地溝２１の側壁間に止め棒８３が等間隔で取付けられると共に、係合片８２の端部には鉤部（図示せず）が形成され、この鉤部を止め棒８３に係合させることによって、取付具８１を面材１に取付けられている。又、パネル材１２に配線用の孔を設けておけば、ディスプレイＤの電気コード等をこの孔を通して裏面に配置することができるので、正面側からは電気コード等が見えず、意匠性の低下を防ぐことができる。
【００４８】
尚、取付金具８２に係合片８２が複数個取付けられれば、面材１に取付ける際、係合片８２の数に応じて係合される箇所が増えるので、ディスプレイＤをより安定的に取付けることができる。そして、取付具８１の係合片８２の取付位置において、横方向の取付間隔を係止部材１６の目地溝２１の止め棒８３の取付間隔に合わせると共に、縦方向の取付間隔を係止部材１６の上下方向の取付間隔にあわせておけば、取付具８１が面材１に取付けられる任意の位置にディスプレイＤが取付けられるので好ましい。
【産業上の利用可能性】
【００４９】
本発明によれば、面材を床面と天井面を固定する際、面材が立設される任意の位置に固定することができるので、部屋の間仕切り等に好適に利用されると共に、面材に家具用支持具が係合自在となされた係合部材を取付けることによって、部屋の既存の壁面に直接取付けられない家具、例えば大型ディスプレイ等の取付けに好適に利用される。
【図面の簡単な説明】
【００５０】
【図１】面材の実施の一形態を示す斜視図である。
【図２】図１の枠材の斜視図である。
【図３】図１の部分断面図である。
【図４】本発明に係る固定装置の一形態を示す分解斜視図である。
【図５】図４の断面図である。
【図６】図４の主要部の断面図である。
【図７】本発明に係る面材の取付構造の実施の一形態を示す断面図である。
【図８】図７の下部支持台の別の形態を示す部分斜視図である。
【図９】本発明に係る面材の取付構造の実施の別の形態を示す一部断面側面図である。
【符号の説明】
【００５１】
１    面材
２    取付部
３    基部
２１  当接台
２２  ばね材
２３  基部本体
３１  係止ピン
４６  雄ねじ部
４７  軸棒
５１  雌ねじ部
５２  可動部材
５３  斜め長孔
Ｃ    天井面
Ｆ    床面
Ｐ１  面材の固定装置
Ｐ２  面材の取付構造
【図１】
2007198073.tif 000003
【図２】
2007198073.tif 000004
【図３】
2007198073.tif 000005
【図４】
2007198073.tif 000006
【図５】
2007198073.tif 000007
【図６】
2007198073.tif 000008
【図７】
2007198073.tif 000009
【図８】
2007198073.tif 000010
【図９】
2007198073.tif 000011